(57)【特許請求の範囲】
【請求項１】
柄部と、前記柄部の先端部にその延在方向に沿って延在配置された揺動軸と、前記揺動軸の延在方向に垂直に延在し前記揺動軸にその中心軸線回りに揺動自在に支持され捕集物を捕集する捕集ロールを回転自在に支持する一対のロール支持軸と、前記一対のロール支持軸の互いの開き角が１８０度未満の初期状態よりも大きいときに前記ロール支持軸を前記開き角を縮小する方向へ弾性付勢する付勢部材とを有することを特徴とする清掃具。
【請求項２】
前記柄部の先端部に一対の前記揺動軸を有し、前記揺動軸のそれぞれに前記ロール支持軸が１つずつ揺動自在に支持されていることを特徴とする請求項１に記載の清掃具。
【請求項３】
前記ロール支持軸が固定され前記揺動軸にその中心軸線回りに揺動自在に支持された一対の軸支持部材をさらに有し、前記一対のロール支持軸の初期状態は、前記一対の軸支持部材のそれぞれに設けられた開き角下限当接部同士が前記付勢部材の弾性付勢力によって当接するか、あるいは前記一対の軸支持部材の開き角下限当接部同士が開き角下限当接部間に設けられた介挿部材を前記付勢部材の弾性付勢力によって挟み込む状態であることを特徴とする請求項１又は２に記載の清掃具。
【請求項４】
前記一対の軸支持部材は、それぞれの揺動中心を介して前記開き角下限当接部とは反対の側に、互いに当接されることで前記一対のロール支持軸の開き角の増大を規制する開き角上限当接部を有し、前記一対のロール支持軸の開き角は、前記一対の軸支持部材の開き角上限当接部同士が当接するときに最大、前記一対の軸支持部材の開き角下限当接部同士が当接するときに最小であることを特徴とする請求項３に記載の清掃具。
【請求項５】
前記介挿部材は、前記一対の軸支持部材の開き角下限当接部間に対して介在及び撤去可能、あるいは前記一対の軸支持部材の開き角下限当接部の間隔方向における寸法を変更可能であることを特徴とする請求項３又は４に記載の清掃具。
【発明の詳細な説明】
【技術分野】
【０００１】
本発明は、塵埃等の捕集物を捕集する捕集ロールを回転可能に取り付けて清掃に用いられる清掃具に関する。
【背景技術】
【０００２】
この種の清掃具としては、棒状の柄の先端部からその両側へ、粘着ロール等の円筒状の捕集ロールが外挿されるロール支持軸が柄に垂直に突出された構成のものがある（以下、第１の従来清掃具、とも言う。例えば特許文献１）。
また、この種の清掃具としては、柄の先端部に、捕集ロールを回転自在に支持するロール支持部材を、柄に対して揺動自在に支持する構成のものもある（以下、第２の従来清掃具、とも言う。例えば特許文献２）。ロール支持部材は、柄の先端部に支持される中央取付部からその両側に、捕集ロールが外挿されるロール支持軸が突出する構成である。
第１、第２の従来清掃具は、ロール支持軸に外挿して回転自在に支持した捕集ロールを床面等の被清掃面に転動させて、清掃に用いる。
【先行技術文献】
【特許文献】
【０００３】
【特許文献１】特開２００４−２２１１０５号公報
【特許文献２】特開２００７−１５２０６９号公報
【発明の概要】
【発明が解決しようとする課題】
【０００４】
第１の従来清掃具は柄に対して固定のロール支持軸に捕集ロールを軸支する。第２の従来清掃具は、一対のロール支持軸が中央取付部に固定されているロール支持部材を用いる。このため、第１、第２の従来清掃具は、例えば湾曲した被清掃面の清掃に用いる場合、一対の捕集ロールのそれぞれの側周面を被清掃面に同時接触させながら被清掃面の湾曲軸線方向に転動移動させることが難しく、清掃に手間が掛かることがあった。また、家屋の柱、梁や、ソファーなどの家具等における開き角を以て互いに隣接する２面を清掃する場合や、着衣のままで腕や脚などの衣服を清掃する場合には、柄先端部両側の捕集ロールの片方ずつしか清掃に活用できないケースが多く、被清掃面に捕集ロールを転動させる回数が増大して清掃に手間が掛かることがあった。
【０００５】
本発明が解決しようとする課題は、湾曲した被清掃面や、開き角を以て互いに隣接する複数の被清掃面の清掃の作業効率を高めることができる清掃具を提供することである。
【課題を解決するための手段】
【０００６】
上記課題を解決するために、本発明では以下の態様を提供する。
第１の態様は、柄部と、前記柄部の先端部にその延在方向に沿って延在配置された揺動軸と、前記揺動軸の延在方向に垂直に延在し前記揺動軸にその中心軸線回りに揺動自在に支持され捕集物を捕集する捕集ロールを回転自在に支持する一対のロール支持軸と、前記一対のロール支持軸の互いの開き角が１８０度未満の初期状態よりも大きいときに前記ロール支持軸を前記開き角を縮小する方向へ弾性付勢する付勢部材とを有することを特徴とする清掃具である。
第２の態様は、前記柄部の先端部に一対の前記揺動軸を有し、前記揺動軸のそれぞれに前記ロール支持軸が１つずつ揺動自在に支持されていることを特徴とする第１の態様の清掃具である。
第３の態様は、前記ロール支持軸が固定され前記揺動軸にその中心軸線回りに揺動自在に支持された一対の軸支持部材をさらに有し、前記一対のロール支持軸の初期状態は、前記一対の軸支持部材のそれぞれに設けられた開き角下限当接部同士が前記付勢部材の弾性付勢力によって当接するか、あるいは前記一対の軸支持部材の開き角下限当接部同士が開き角下限当接部間に設けられた介挿部材を前記付勢部材の弾性付勢力によって挟み込む状態であることを特徴とする第１又は２の態様の清掃具である。
第４の態様は、前記一対の軸支持部材は、それぞれの揺動中心を介して前記開き角下限当接部とは反対の側に、互いに当接されることで前記一対のロール支持軸の開き角の増大を規制する開き角上限当接部を有し、前記一対のロール支持軸の開き角は、前記一対の軸支持部材の開き角上限当接部同士が当接するときに最大、前記一対の軸支持部材の開き角下限当接部同士が当接するときに最小であることを特徴とする第３の態様の清掃具である。
第５の態様は、前記介挿部材は、前記一対の軸支持部材の開き角下限当接部間に対して介在及び撤去可能、あるいは前記一対の軸支持部材の開き角下限当接部の間隔方向における寸法を変更可能であることを特徴とする第３又は４の態様の清掃具である。
【発明の効果】
【０００７】
本発明の幾つかの実施形態に係る清掃具によれば、柄先端部両側の捕集ロールのそれぞれの側周面を、湾曲する被清掃面等の種々の形状の被清掃面に転動接触させることが容易となる。その結果、被清掃面形状や複数の被清掃面の配置に対する汎用性、清掃の作業効率を高めることが可能である。
【図面の簡単な説明】
【０００８】
【図１】本発明に係る１実施形態の清掃具を示す平面図である。
【図２】図１の清掃具を示す側面図である。
【図３】図１の清掃具を一対のロール支持軸側から見た正面図であり、一対のロール支持軸が初期状態にあるときを示す図である。
【図４】図３の清掃具の一対のロール支持軸付近を示す平面図である。
【図５】図１の清掃具を一対のロール支持軸側から見た正面図であり、一対のロール支持軸の開き角が最大の状態にあるときを示す図である。
【図６】図１の清掃具を一対のロール支持軸側から見た正面図であり、一対のロール支持軸にそれぞれ外挿された捕集ロール側周面を断面円形状で延在する被清掃面に当接させたときを示す図である。
【図７】図１の清掃具のロール支持軸に対するカラーの取り付け状態、及びカラーに対する捕集ロールの外挿装着状態、の一例を示す断面図である。
【図８】一対の軸支持部材の開き角下限当接部間に介挿される介挿部材の一例を示す図である。
【発明を実施するための形態】
【０００９】
以下、本発明の好適な幾つかの実施形態の清掃具について、図面を参照して説明する。
図１、図２は、本発明の好適な１実施形態の清掃具１０を示す。
図１、図２に例示した清掃具１０は、柄部２０と、柄部２０先端側に設けられた一対の揺動軸３０と、一対の揺動軸３０のそれぞれに設けられた軸支持部材４１及びロール支持軸４２とを有する。また、図７に示すように、この実施形態の清掃具１０は、ロール支持軸４２にその軸回り方向に回転自在に支持されたカラー４３も有している。
【００１０】
カラー４３には円筒状の捕集ロール５０が外挿装着される。
カラー４３に外挿装着された捕集ロール５０は、カラー４３を介してロール支持軸４２にその軸回り方向に回転自在に取り付けられる（支持される）。カラー４３に外挿装着された捕集ロール５０は、カラー４３と一体的にロール支持軸４２に対してその軸回り方向に回転可能である。
【００１１】
図７はロール支持軸４２に対する捕集ロール５０の取り付け状態の一例を示す。
図７に示すように、捕集ロール５０は、円筒軸５１の側周全周に捕集材５２を設けたものである。図１〜図７に例示した捕集ロール５０の捕集材５２は円筒軸５１の側周に巻回された粘着テープである。粘着テープは、紙等の帯状基材の円筒軸５１とは反対側の面に粘着材層を有する構成のものである。円筒軸５１側周に粘着テープを巻回した捕集ロール５０（以下、粘着テープロール、とも言う）は、その側周面を形成する粘着テープの粘着材層によって、糸屑、動物の毛、埃等の塵埃である捕集物を捕集する。
【００１２】
捕集ロール５０の捕集材５２は、糸屑、動物の毛、埃等の塵埃である捕集物を捕集なものであれば良く、粘着テープに限定されない。捕集材５２は、例えば、円筒軸５１に取り付けられて、円筒軸５１側周に繊維層を形成する複数本の合成樹脂繊維であって、帯電させた静電気によって捕集物を吸着捕集可能なもの、等であっても良い。合成樹脂繊維は、塩化ビニールやポリエチレンあるいはポリプロピレン等を好適に採用できる。合成樹脂繊維の層（合成樹脂繊維層）は、円筒軸５１側周に取り付けた複数本の合成樹脂繊維によって形成された層の他、合成樹脂繊維によって形成された不織布を円筒軸５１側周に取り付けたもの、等も採用可能である。
【００１３】
カラー４３に捕集ロール５０を装着した清掃具１０は、使用者が手指で握った柄部２０を操作して捕集ロール５０を床面等の被清掃面に転動させることで被清掃面の清掃に利用できる（捕集ロール５０に捕集物を捕集する）。
【００１４】
図１、図２に例示した清掃具１０の柄部２０は、棒状の２本の柄部形成棒材２１と、これら柄部形成棒材２１を互いに平行に固定する棒材固定具２２、２３とを有する。２本の柄部形成棒材２１は、間隔を空けて棒材固定具２２、２３によって互いに平行に固定されている。
【００１５】
図１において、２本の柄部形成棒材２１の一方に符号２１Ａ、他方に符号２１Ｂを付記する。
柄部２０は、柄部形成棒材２１Ａ、２１Ｂの延在方向を長手方向とする細長形状に形成されている。柄部２０は、その長手方向（柄部形成棒材２１Ａ、２１Ｂの延在方向）の一部の全体を清掃具１０の使用者が手指で握って把持可能に構成されている。柄部２０延在方向の互いに離隔する２箇所に設けられた棒材固定具２２、２３は、清掃具１０の使用者が手指で握って把持できるサイズに形成されている。
【００１６】
図１、図２に例示した清掃具１０の柄部２０の２本の柄部形成棒材２１Ａ、２１Ｂは、具体的には、１本の金属製棒状体のその延在方向中央部に形成した折り返し曲げ部２１ａを介して両側に位置する部分である。折り返し曲げ部２１ａは金属製棒状体の延在方向中央部が１８０度曲げ成形された部分である。２本の柄部形成棒材２１Ａ、２１Ｂは折り返し曲げ部２１ａの両端から互いに平行に延在している。折り返し曲げ部２１ａは柄部２０の長手方向片側の端部を形成する。
【００１７】
図１、図２に例示した清掃具１０の金属製棒状体の折り返し曲げ部２１ａはＵ字状である。但し、折り返し曲げ部２１ａはコ字状等であっても良い。
図１、図２に例示した清掃具１０の柄部２０は、金属製棒状体の折り返し曲げ部２１ａを含む。
なお、柄部は、折り返し曲げ部２１ａが存在せず互いの別部材の２本の柄部形成棒材２１Ａ、２１Ｂを間隔を空けて棒材固定具によって互いに平行に固定した構成も採用可能である。
【００１８】
図１、図２に例示した清掃具１０の柄部２０の折り返し曲げ部２１ａは、柄部２０の揺動軸３０が設けられている先端側とは反対の基端部を構成する。
図２に示すように、柄部形成棒材２１Ａ、２１Ｂの延在方向中央から先端寄りの位置には屈曲部２１ｂが形成されている。柄部形成棒材２１は屈曲部２１ｂから先端側の前端部２１ｃと、屈曲部２１ｂから基端側（基端部側）の棒材本体２１ｄとを有する。
【００１９】
図２に示すように、柄部形成棒材２１の前端部２１ｃ及び棒材本体２１ｄは、それぞれ屈曲部２１ｂから真っ直ぐに延在する棒状に形成されている。
前端部２１ｃの棒材本体２１ｄに対する傾斜角度θは５〜４５度、より好ましくは５〜３０度である。
２本の柄部形成棒材２１Ａ、２１Ｂの棒材本体２１ｄ同士は互いに平行、前端部２１ｃ同士も互いに平行である。
【００２０】
図１において、一対の揺動軸３０の一方に符号３１、他方に符号３２を付記する。
図１、図２に例示した清掃具１０の各揺動軸３０（３１、３２）は、具体的には、柄部形成棒材２１の前端部２１ｃの先端部である。
揺動軸３０は、柄部形成棒材２１の先端部に固定された第２ストッパ部材２５（後述）から先端側の部分を指す。一対の揺動軸３０は互いに平行に延在している。柄部形成棒材２１のうち揺動軸３０から基端側の部分は清掃具１０の柄部２０の一部を構成する。
【００２１】
なお、揺動軸３０は、柄部形成棒材２１の先端部である構成に限定されず、柄部形成棒材２１先端部に固定した柄部形成棒材２１とは別の部材であっても良い。
また、清掃具１０の柄部２０は、清掃具１０の使用者が手指で握って把持可能な部分（把持部）を有する構成であれば良く、例えば１本の棒材、１本の長板状部材である構成も採用可能である。揺動軸３０は、柄部２０先端部にその延在方向に沿って延在させて設けられる。
【００２２】
軸支持部材４１は、揺動軸３０にその軸回り方向に揺動自在（回動自在）に支持されている。図１等において、符号３１を付記した揺動軸３０に支持された軸支持部材４１に符号４１Ａ、符号３２を付記した揺動軸３０に支持された軸支持部材４１に符号４１Ｂ、を付記する。
【００２３】
ロール支持軸４２は、その一端部が固定された軸支持部材４１から揺動軸３０の延在方向（中心軸方向）に垂直に真っ直ぐに延出している。
ロール支持軸４２は、軸支持部材４１を介して揺動軸３０にその軸回り方向に揺動自在（回動自在）に支持されている。
なお、ロール支持軸４２の一端部を、以下、基端部とも言う。
【００２４】
軸支持部材４１は、円柱状の揺動軸３０に外挿された基端部４１ａ（以下、外挿基端部）と、この外挿基端部４１ａから揺動軸３０とは反対の側（外側）へ突出する軸支持部４１ｂとを有する。軸支持部材４１の外挿基端部４１ａには揺動軸３０を収容する軸挿通孔４１ｃ（図４参照）が貫通形成されている。軸支持部材４１は、外挿基端部４１ａの軸挿通孔４１ｃ内面を揺動軸３０側周面にその周方向へ摺動させて、揺動軸３０に対してその軸回りに回動（揺動）する。
【００２５】
ロール支持軸４２の基端部は、軸支持部材４１の外挿基端部４１ａに固定されている。
ロール支持軸４２は、揺動軸３０に対する軸支持部材４１の回動によって、揺動軸３０に対して揺動する。
【００２６】
軸支持部材４１は、柄部形成棒材２１の前端部２１ｃの先端に固定された第１ストッパ部材２４と、前端部２１ｃの第１ストッパ部材２４よりも基端側に離隔した位置に固定された第２ストッパ部材２５との間に配置されている。
揺動軸３０は、柄部形成棒材２１のその延在方向において第２ストッパ部材２５から先端側の部分を指す。
なお、柄部形成棒材２１の揺動軸３０から基端側部分を、以下、棒材主材部、とも言う。第２ストッパ部材２５は棒材主材部の先端部に外挿固定されている。
【００２７】
図４等に示すように、第１、第２ストッパ部材２４、２５は、それぞれ、柄部形成棒材２１の前端部２１ｃの側周に位置する部分を有する。
図１、図２、図４に例示した第１ストッパ部材２４は、柄部形成棒材２１の前端部２１ｃの先端及びその近傍を収納するキャップ状に形成されている。第２ストッパ部材２５はリング状に形成され、柄部形成棒材２１の前端部２１ｃ（以下、柄部形成棒材前端部、とも言う）に外挿固定されている。図１、図２、図４に例示した第１、第２ストッパ部材２４、２５は、それぞれ、柄部形成棒材前端部２１ｃの側周に沿うリング状部分を有している。
【００２８】
軸支持部材４１の外挿基端部４１ａは、第１、第２ストッパ部材２４、２５の前端部２１ｃ側周に位置する部分を乗り越えることができない。第１、第２ストッパ部材２４、２５の柄部形成棒材前端部２１ｃ側周に位置する部分は、当接される軸支持部材４１の外挿基端部４１ａの、揺動軸３０における第１、第２ストッパ部材２４、２５間の範囲からの抜け出しを防止する。
軸支持部材４１の外挿基端部４１ａは、第１、第２ストッパ部材２４、２５によって、揺動軸３０における第１、第２ストッパ部材２４、２５間の範囲に保持されている。
【００２９】
軸支持部材４１の外挿基端部４１ａは、軸挿通孔４１ｃに収容した揺動軸３０の周囲を囲繞する構成である。
第１、第２ストッパ部材２４、２５は、柄部形成棒材２１の前端部２１ｃの側周に位置して、軸支持部材４１の外挿基端部４１ａの乗り越えを規制する部分（外挿基端部４１ａが当接される部分）を有する構成であれば良く、必ずしも柄部形成棒材２１の前端部２１ｃの側周に沿うリング状部分を有する構成に限定されるものでは無い。
【００３０】
図１、図２等に示す清掃具１０の軸支持部材４１はプラスチック製である。但し、軸支持部材４１の材質はプラスチックに限定されず、金属であっても良い。
図４等に示す清掃具１０の軸支持部材４１は、軸挿通孔４１ｃが貫通形成された筒状の外挿基端部４１ａを有する。図３、図４に示すように、軸支持部４１ｂは、外挿基端部４１ａの側周から軸挿通孔４１ｃとは反対の方向へ突出している。
【００３１】
ロール支持軸４２の基端部は、プラスチック製の軸支持部材４１の軸支持部４１ｂの形成樹脂中に埋め込まれ、軸支持部４１ｂの形成樹脂の被着により軸支持部４１ｂに固定されている。軸支持部４１ｂがロール支持軸４２基端部に被着一体化された構成は、例えば、ロール支持軸４２基端部への軸支持部材４１のインモールド成形等によって得られる。
なお、ロール支持軸４２基端部の軸支持部材４１への固定は、軸支持部材４１に形成した雌ねじ穴への螺着固定や、軸支持部材４１に形成した軸挿通孔に挿入した部分（基端部）の接着材を用いた接着固定、軸支持部材４１へのねじ止め、等であっても良い。
【００３２】
図７に示す清掃具１０のカラー４３は円筒状部材である。カラー４３はロール支持軸４２に外挿されて、ロール支持軸４２にその軸回り方向に回転自在に支持されている。カラー４３はその軸線方向をロール支持軸４２延在方向（軸方向）に一致させてロール支持軸４２に支持されている。
【００３３】
カラー４３は、ロール支持軸４２にその軸回り方向に回転自在に外挿された円筒状のカラー本体４３ａと、カラー本体４３ａの軸線方向両端部側周にフランジ状に突出する係止爪４３ｂ、４３ｃとを有する。
カラー本体４３ａには、その軸線方向一端（軸支持部材４１の軸支持部４１ｂ側の端）から他端部（カラー本体４３ａ先端部）の先端部塞ぎ壁４３ｄまで真っ直ぐに延在する支持軸挿入孔４３ｅが形成されている。カラー本体４３ａは支持軸挿入孔４３ｅの中心軸線を中心とする円筒状に形成されている。
【００３４】
カラー４３は、支持軸挿入孔４３ｅに挿入されたロール支持軸４２にその軸回りに回転自在に外挿されている。ロール支持軸４２の、軸支持部材４１の軸支持部４１ｂに固定された基端部とは反対の他端（以下、先端、とも言う）は、カラー４３の先端部塞ぎ壁４３ｅに当接されている。
ロール支持軸４２の先端部には、その側周に突出する係止突起４２ａが設けられている。図７に例示するカラー４３のカラー本体４３ａの支持軸挿入孔４３ｅは、ロール支持軸４２をその先端部側周に突設された係止突起４２ａとともに挿入可能な断面サイズで延在形成されている。
【００３５】
また、図７に例示するカラー４３は、ロール支持軸４２の軸支持部材４１から突出された部分（以下、突出軸部、とも言う）をカラー本体４３ａとの間に保持する抜け止め部材４３ｆも有している。
抜け止め部材４３ｆは、カラー本体４３ａにその側周から窪んで形成された嵌合凹所（図示略）に嵌合固定されて、ロール支持軸４２の突出軸部の係止突起４２ａから基端側部分をカラー本体４３ａとの間に保持する。
【００３６】
カラー本体４３ａと抜け止め部材４３ｆとの間には、ロール支持軸４２の係止突起４２ａよりも基端部側部分を軸回り回転自在に収容し、かつ係止突起４２ａが通過不可能な断面サイズで延在する軸保持孔４３ｇが確保されている。軸保持孔４３ｇは支持軸挿入孔４３ｅの途中に設けられている。
ロール支持軸４２先端部側周に突設された係止突起４２ａは、先端部塞ぎ壁４３ｄと、先端部塞ぎ壁４３ｄからカラー本体４３ａのその先端とは反対の基端側へ離隔させて設けられた抜け止め部材４３ｆとの間に設けられている。
【００３７】
図７は、ロール支持軸４２先端がカラー４３の先端部塞ぎ壁４３ｄに常時当接する構成を示す。
但し、清掃具としては、カラー４３の先端部塞ぎ壁４３ｄと抜け止め部材４３ｆとの間に、ロール支持軸４２の係止突起４２ａのカラー本体４３ａに対するその軸線方向への微動を許容する離隔距離が確保された構成も採用可能である。
【００３８】
先端部塞ぎ壁４３ｄは支持軸挿入孔４３ｅ先端側を塞いでいる。
カラー本体４３ａは、先端部塞ぎ壁４３ｄから先端側に円筒状の先端側筒部４３ｈを有する。カラー本体４３ａはその軸線方向全長にわたって一定外径を以て延在する。但し、先端側筒部４３ｈは、その内径が支持軸挿入孔４３ｅ内径に比べて格段に径大の円筒状に形成されている。
【００３９】
先端側筒部４３ｈの先端部塞ぎ壁４３ｄから突出する先端部は、その先端から切り込む形状のスリット４３ｉによって複数の弾性片４３ｊに分割されている。カラー４３先端部の係止爪４３ｃ（以下、先端側係止爪、とも言う）は、先端側筒部４３ｈ先端部の弾性片４３ｊから突出され、先端側筒部４３ｈ先端部の側周に設けられている。
【００４０】
捕集ロール５０は、その円筒軸５１を、カラー４３にその先端側から押し込んで外挿装着させることができる。捕集ロール５０のカラー４３への外挿、装着は、カラー４３先端部の弾性片４３ｊをカラー４３先端部軸線に接近させる方向に弾性変形させて、カラー４３の先端側係止爪４３ｃを、カラー４３にその先端側から押し込んだ捕集ロール５０の円筒軸５１内側に配置する。そして、捕集ロール５０のカラー４３への押し込み継続によって、捕集ロール５０の円筒軸５１をカラー本体４３ａの軸線方向両端部の係止爪４３ｂ、４３ｃ間に保持させる。捕集ロール５０の円筒軸５１（以下、捕集ロール円筒軸、とも言う）は、カラー本体４３ａの軸線方向両端部の係止爪４３ｂ、４３ｃのそれぞれに係止される。
【００４１】
捕集ロール５０の円筒軸５１は、その軸線方向寸法が、カラー本体４３ａの軸線方向両端部の係止爪４３ｂ、４３ｃ間の離隔距離に一致するものを用いる。また、捕集ロール円筒軸５１は、カラー本体４３ａの軸線方向両端部の係止爪４３ｂ、４３ｃ間に配置（外挿）したときに、その内周面がカラー本体４３ａに圧接してカラー４３に嵌合（外嵌め）される内径を有するものを用いる。カラー本体４３ａの軸線方向両端部の係止爪４３ｂ、４３ｃ間に配置（外挿）された捕集ロール５０は、円筒軸５１がカラー４３に嵌合する結果、ロール支持軸４２に対してカラー４３と一体的に回転する。
【００４２】
カラー４３に外挿、装着された状態の捕集ロール５０は、カラー４３先端部の弾性片４３ｊをカラー４３先端部軸線に接近させる方向に弾性変形させて、カラー４３の先端側係止爪４３ｃによる捕集ロール円筒軸５１を係止を解除し、この状態にて、カラー４３に対してその先端側へ引き抜くことで、カラー４３から取り外すことができる。
【００４３】
カラーは、その軸線方向（カラー本体４３ａの軸線方向）両端部の係止爪４３ｂ、４３ｃ間に捕集ロール円筒軸５１を保持する構成に限定されない。カラーは、カラーに外挿された捕集ロール円筒軸５１をカラーとともにロール支持軸４２に対して一体的に回転可能に保持でき、かつ捕集ロール５０の交換が可能な構成であれば良い。カラーは、例えば、捕集ロール円筒軸５１が外挿、嵌合（外嵌め）されてカラーとともにロール支持軸４２に対して一体的に回転可能となり、かつ、外嵌め状態の捕集ロール５０をカラーに対してその軸線方向に強制的に相対変位させて引き抜くことで取り外し可能である構成も採用できる。
【００４４】
図３に示すように、清掃具１０の各軸支持部材４１Ａ、４１Ｂにそれぞれ支持されているロール支持軸４２間の開き角θは、各軸支持部材４１Ａ、４１Ｂのそれぞれの開き角下限当接部４１ｄ同士が当接するときに最小（下限）となる。
また、図５に示すように、清掃具１０の一対のロール支持軸４２間の開き角θは、各軸支持部材４１Ａ、４１Ｂのそれぞれの開き角上限当接部４１ｅ同士が当接するときに最大（上限）となる。
【００４５】
図５、図６に示すように、開き角上限当接部４１ｅは、軸支持部材４１においてその揺動中心（揺動軸３０中心軸線。回動中心）を介して開き角下限当接部４１ｄとは反対の側に設けられている。
図５に示すように、この実施形態の清掃具１０の一対のロール支持軸４２間の開き角θの上限（以下、最大角度、とも言う）は１８０度である。但し、一対のロール支持軸４２間の開き角θの最大角度は１８０度に限定されず１８０度以上の角度であっても良い。
【００４６】
清掃具１０の一対のロール支持軸４２の開き角θの下限は１８０度未満である。一対のロール支持軸４２の開き角θの下限は、３０〜１５０度が好ましく、４５〜１３５度がより好ましく、６０〜１２０度がさらに好ましい。
以下、清掃具１０の一対のロール支持軸４２について、その開き角θが最小（下限）である状態を、初期状態、とも言う。また、一対のロール支持軸４２が初期状態にあるときの開き角θを、以下、初期角度、とも言う。
【００４７】
図３に示すように、清掃具１０の一対のロール支持軸４２の開き角θは、各軸支持部材４１Ａ、４１Ｂのそれぞれの開き角下限当接部４１ｄ同士が当接することで、その下限（最小）の角度よりも小さくなることが規制される。
清掃具１０は、各軸支持部材４１Ａ、４１Ｂを、一対のロール支持軸４２間の開き角θを縮小する方向に弾性付勢する付勢部材１１を有している。図３、図４に示すように、この実施形態の清掃具１０の付勢部材１１は、Ｃ字形に成形された金属製の湾曲ピン状ばねである。この実施形態の清掃具１０の一対の軸支持部材４１Ａ、４１Ｂのそれぞれの開き角下限当接部４１ｄは、一対のロール支持軸４２が初期状態にあるときに、付勢部材１１の弾性付勢力によって互いに当接される。
【００４８】
図５、図６は、一対のロール支持軸４２の開き角θが初期角度よりも大きい状態を示す。
清掃具１０は、例えば、初期状態にある一対のロール支持軸４２を床面等の被清掃面６１に押圧して、一対のロール支持軸４２の開き角θを初期角度よりも大きく拡げることが可能である。このため、清掃具１０は、一対のロール支持軸の開き角が１８０度で固定の従来構成の清掃具に比べて、湾曲面等の平坦面以外の種々の被清掃面６１の清掃を効率良く行なうことができる。
【００４９】
図５は、一対のロール支持軸４２の開き角θが１８０度である場合を示す。
図５の場合、清掃具１０は、床面等の平坦な被清掃面６１（図５中、符号６１ａを付記する）の清掃を効率良く行える。
【００５０】
図６は、一対のロール支持軸４２の開き角θが初期角度と１８０度との間の大きさである場合を示す。
図６の場合、清掃具１０は、湾曲した被清掃面６１（図６中、符号６１ｂを付記する）や、開き角を以て互いに隣接する複数の被清掃面の清掃を効率良く行える。
【００５１】
図６の被清掃面６１ｂは、具体的には衣服の袖の側周面（以下、袖側周面、とも言う）である。被清掃面６１ｂは、その湾曲軸線方向において、湾曲半径が一定で無い。
清掃具１０は、例えば、衣服の着用者が衣服の袖に腕を通したままの状態で一対のロール支持軸４２を押し付け、ロール支持軸４２を袖軸線方向に沿って転動させることで、一対のロール支持軸４２の開き角θが被清掃面６１ｂ（袖側周面）の湾曲半径に応じて初期角度と１８０度との間の範囲で変動する。その結果、清掃具１０は、各ロール支持軸４２にそれぞれ外挿した捕集ロール５０を、被清掃面６１ｂ（袖側周面）にその湾曲半径に応じて追従させて被清掃面６１ｂとの接触状態を保つことができ、被清掃面６１を効率良く清掃できる。
【００５２】
なお、湾曲した被清掃面６１ｂは、袖側周面に限定されず、例えばズボン股下の使用者が脚部を通す筒状部（脚挿通筒部）の側周面、ソファ等の家具に存在する湾曲した被清掃面等も採用可能である。
また、清掃具１０は、家屋の柱、梁や、ソファーなどの家具等における開き角を以て互いに隣接する２面の清掃も効率良く行える。
【００５３】
清掃具１０は、湾曲した被清掃面６１ｂや、開き角を以て互いに隣接する複数の被清掃面に対して、一対のロール支持軸４２にそれぞれ外挿した捕集ロール５０の両方を接触させつつ転動させることができる。その結果、清掃具１０は、被清掃面に対する捕集ロール５０の転動回数を削減でき、被清掃面の清掃を効率良く行える。
【００５４】
図５、図６に示すように、被清掃面６１への押圧によって開き角θを初期角度よりも大きく拡げた一対のロール支持軸４２は、付勢部材１１によって、開き角を縮小する方向へ弾性付勢されている。被清掃面６１への押圧によって開き角θを初期角度よりも大きく拡げた一対のロール支持軸４２は、例えば柄部２０の操作によって被清掃面６１から離隔させ清掃具１０の構成部材以外との接触が存在しない状態とするだけで、付勢部材１１の弾性付勢力によって開き角が縮小して初期状態に復帰する。
【００５５】
一対のロール支持軸４２の開き角θの初期角度が１８０度未満である清掃具１０は、一対のロール支持軸４２が初期状態であるときに開き角θが１８０度であるときに比べて、一対のロール支持軸４２の柄部２０に垂直の方向の寸法を小さく抑えることができる。
このため、一対のロール支持軸４２の開き角θの初期角度が１８０度未満である清掃具１０は、例えば各ロール支持軸４２に外挿した捕集ロール５０を収納場所の床面（以下、収納スペース床面、とも言う）に載置して収納するときに、一対のロール支持軸の開き角が１８０度で固定の従来構成の清掃具に比べて、一対のロール支持軸４２をそれぞれに外挿した捕集ロール５０とともに収納するに要する収納スペース床面面積の縮小が可能である。清掃具１０は、一対のロール支持軸４２を初期状態とすることで、一対のロール支持軸４２のそれぞれに外挿した捕集ロール５０を含む収納スペースの縮小に有利である。
【００５６】
図８は、清掃具１０の一対の軸支持部材４１の開き角下限当接部４１ｄ間に挟み込まれる介挿部材１２の一例を示す。
図８の介挿部材１２は、図１〜図７を参照して説明した清掃具１０の一対の軸支持部材４１の片方の開き角下限当接部４１ｄに回転軸１２ａを介して枢着された板状片である。
【００５７】
図８の一対の軸支持部材４１の開き角下限当接部４１ｄには互いに当接される当接面４１ｆが形成されている。
図８の介挿部材１２は、回転軸１２ａを中心とする手動回転によって、回転軸１２ａを介して取り付けられた開き角下限当接部４１ｄの当接面４１ｆに重ね合わされた状態と、当接面４１ｆから垂直に突出する状態とを切り換えることができる。図８の清掃具は、介挿部材１２を開き角下限当接部４１ｄの当接面４１ｆから垂直に突出する状態とすることで、介挿部材１２を開き角下限当接部４１ｄの当接面４１ｆに重ね合わされた状態（格納状態）とした場合に比べて、一対のロール支持軸４２の開き角θの初期角度を大きく設定できる。介挿部材１２は、当接面４１ｆに重ね合わされた状態と、当接面４１ｆから垂直に突出する状態とを切り換えることで、一対の軸支持部材４１の初期状態における開き角下限当接部４１ｄ間隔（間隔方向の寸法）を変更可能である。
【００５８】
なお、介挿部材１２は、図８に例示した板状片に限定されない。
介挿部材は、例えば、一対の軸支持部材４１の開き角下限当接部４１ｄの一方または両方に螺着されて、回転操作によって一対の開き角下限当接部４１ｄ間への突出寸法を変更可能な調整ねじ自体や、この調整ねじ先端に一対の開き角下限当接部４１ｄ間に挟み込まれる部材が取り付けられた構成、等であっても良い。
【００５９】
以上、本発明を最良の形態に基づいて説明してきたが、本発明は上述の最良の形態に限定されるものではなく、本発明の要旨を逸脱しない範囲で種々の改変が可能である。
上述の実施形態では、柄部２０先端部に２本設けられた揺動軸３１、３２のそれぞれに軸支持部材４１が揺動自在（回動自在）に支持された構成を例示した。但し、本発明に係る実施形態の清掃具は、柄部２０先端部に設けられた揺動軸が１本のみで、この揺動軸にその軸回り方向に２つの軸支持部材４１が揺動自在（回動自在）に支持された構成も採用可能である。
【００６０】
図５、図６等では、一対の軸支持部材４１を１つの付勢部材１１（具体的には湾曲ピン状ばね）によって開き角縮小方向に弾性付勢する構成を例示した。但し、一対の軸支持部材４１を開き角縮小方向に弾性付勢するための構成としては、例えば、一対の軸支持部材４１をそれぞれに対応して設けられた付勢部材によって弾性する構成も採用可能である。
付勢部材は、湾曲ピン状ばねに限定されず、トーションばね等のコイルばね、板ばね等であっても良い。
【符号の説明】
【００６１】
１０…清掃具、１１…付勢部材、１２…介挿部材（板状片）、２０…柄部、２１…柄部形成棒材、２２、２３…棒材固定部、３０、３１、３２…揺動軸、４１、４１Ａ、４１Ｂ…軸支持部材、４１ａ…（軸支持部材の）基端部（外挿基端部）、４１ｂ…（軸支持部材の）軸支持部、４１ｃ…（軸支持部の）軸挿通孔、４１ｄ…開き角下限当接部、４１ｅ…開き角上限当接部、４２…ロール支持軸、４３…カラー、５０…捕集ロール、６１、６１ａ、６１ｂ…被清掃面。
【図１】
0006684665.tif 000002
【図２】
0006684665.tif 000003
【図３】
0006684665.tif 000004
【図４】
0006684665.tif 000005
【図５】
0006684665.tif 000006
【図６】
0006684665.tif 000007
【図７】
0006684665.tif 000008
【図８】
0006684665.tif 000009